【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
ボールチェーンや回転紐によって作動される手動駆動モジュール４１０を有するひさし駆動装置であり、前記手動駆動モジュールによって直接ひさし回転軸を駆動する少なくとも一つのピックアップ部材４５２、４５２'と、
ボールチェーンや回転紐が挟まれる手動駆動ホイール４１２ｂまたは手動プーリー４１５ａを有するホイール駆動部材４１５'と、を含み、
前記ホイール駆動部材４１５'は、前記手動駆動ホイール４１２ｂまたは手動プーリー４１５ａをある一方向に回転させる場合には共に回転するが、前記一方向に前記手動駆動ホイール４１２ｂ、または手動プーリー４１５ａによって共に回転した直後に反対方向に自体的に回転する場合には、前記手動駆動ホイール４１２ｂまたは手動プーリー４１５ａと独立的に回転するようにする両方向駆動クラッチ４１５ｂを含み、
前記両方向駆動クラッチ４１５ｂは、前記手動プーリー４１５ａに結合されて胴体４１５ｂ１ｂの内周面には小径部４１５ｂ１ｃと大径部４１５ｂ１ｄとを有する両方向移動溝が一定の間隔で形成されて具備される両方向ドライバー４１５ｂ１と、円板形状の胴体の上面に単位弾抜部材ホルダー４１５ｂ３ａが胴体の周辺に沿って配列で形成されたリテイナー４１５ｂ３と、前記両方向ドライバー４１５ｂ１の両方向移動溝と前記リテイナー４１５ｂ３の単位弾抜部材ホルダー４１５ｂ３ａとの間に回転自在になるように挿入されるローラー部材４１５ｂ２と、を含んでなされることを特徴とする駆動ホイール部材の復帰機能を有するひさし駆動装置。
【請求項２】
ボールチェーンや回転紐によって作動される手動駆動モジュール４１０を有するひさし駆動装置であり、前記手動駆動モジュールによって直接ひさし回転軸を駆動する少なくとも一つのピックアップ部材４５２、４５２'と、
ボールチェーンや回転紐が挟まれる手動駆動ホイール４１２ｂまたは手動プーリー４１５ａを有するホイール駆動部材４１５'と、を含み、
前記ホイール駆動部材４１５'は、前記手動駆動ホイール４１２ｂまたは手動プーリー４１５ａをある一方向に回転させる場合には共に回転するが、前記一方向に前記手動駆動ホイール４１２ｂ、または手動プーリー４１５ａによって共に回転した直後に反対方向に自体的に回転する場合には、前記手動駆動ホイール４１２ｂまたは手動プーリー４１５ａと独立的に回転するようにする両方向駆動クラッチ４１５ｂを含み、
前記両方向駆動クラッチ４１５ｂは、使用者がボールチェーンや回転紐を放して手動作動を停止させれば、前記両方向駆動クラッチ４１５ｂのリテイナー４１５ｂ３を逆回転させる逆回転手段４１５ｄをさらに含み、
前記逆回転手段４１５ｄは、ぜんまい４１５ｄ１と、キャップ部材４１３’ｂの固定端４１３’ｂ２に固定結合される固定ピン４１５ｄ３と、円筒形状で一側端の内周面に所定深さのぜんまい４１５ｄ１収容溝が形成されて、他端の外周面にロープ結合具を有したぜんまいボビン４１５ｄ２と、ぜんまいボビン４１５ｄ２のロープ結合具に一側末端が結合されて他側末端は前記両方向駆動クラッチ４１５ｂのリテイナー４１５ｂ３のロープ結合具４１５ｂ３ｂに結合される復帰用ロープ４１５ｄ４と、を含んでなされることを特徴とする駆動ホイール部材の復帰機能を有するひさし駆動装置。
【請求項３】
前記リテイナー４１５ｂ３が回転を止めればそれぞれのローラー部材４１５ｂ２を左右に押して前記両方向ドライバー４１５ｂ１の両方向移動溝大径部４１５ｂ１ｄ位置、すなわち、中立位置に位置するようにする単位弾抜部材をさらに含むか、またはすべてのローラー部材４１５ｂ２をいっぺんに弾抜、すなわち、中立位置に置かれるようにリテイナー４１５ｂ３全体を逆方向で所定角度、あるいは連続して回転させる全体弾抜部材をさらに含むことを特徴とする請求項１に記載の駆動ホイール部材の復帰機能を有するひさし駆動装置。
【請求項４】
前記手動駆動モジュールと別途の動力駆動手段、あるいは回転軸停止手段に着脱自在な回転軸４２１と、前記手動駆動モジュール４１０の出力側と前記回転軸４２１それぞれに、リングギア４３２、太陽ギア４３４、遊星ギアキャリア４３１のうちで何れか一つずつ選択されて、軸結合される遊星ギア列４３０と、及び、
前記遊星ギア列４３０の前記リングギア４３２、太陽ギア４３４、遊星ギアキャリア４３１のうちで選択されなかった何れか一つに軸結合されながら、ひさし回転軸を駆動する第２ピックアップ部材４５２と、をさらに含むことを特徴とする請求項１に記載の駆動ホイール部材の復帰機能を有するひさし駆動装置。
【請求項５】
前記手動駆動モジュール４１０は、系止部４１１ａが形成されたスプリング部材４１１ｂが外周面に挟まれて挿入されて固定ブラケットに堅く固定結合される手動ストッパ４１１と、ボールチェーンや回転紐を引っぱれば前記スプリング部材４１１ｂのスプリング胴体が離れる方向に前記系止部４１１ａを押してスプリング部材４１１ｂの摩擦力を解除させる解除係止突起４１２ａが形成されたラップスプリング駆動部材４１２と、
自体的に回転する時は前記手動ストッパ４１１を構成するスプリング部材４１１ｂの系止部４１１ａをスプリング胴体が狭められる方向に押すように挟まれてスプリング部材４１１ｂの摩擦力を増大させて、ラップスプリング駆動部材４１２が回転する時は解除係止突起４１２ａにおされて共に回転するようにする内部係止突起４１４ｃが形成された手動ドライバー４１４と、でなされて、ひさし回転軸に結合されている第１ピックアップ部材４５１内部に自由に回動自在になるように挿入されて具備されることを特徴とする請求項１に記載の駆動ホイール部材の復帰機能を有するひさし駆動装置。
【請求項６】
ボールチェーンや回転紐によって作動する手動駆動モジュール４０ａと、前記手動駆動モジュール４０ａの駆動によってひさし回転軸を駆動するピックアップ部材５０と、
ボールチェーンや回転紐が挟まれる手動プーリー７００ａを有するホイール駆動部材７００と、を含んで、
前記手動駆動モジュール４０ａは、前記手動プーリー７００ａの回転によって駆動が始まって、手動プーリー７００ａの回転が停止されればひさし装置の自重によって駆動が停止されて、前記ホイール駆動部材７００は、前記手動プーリー７００ａを何れか一方向に回転させる場合には共に回転するが、前記一方向に前記手動プーリー７００ａによって共に回転した直後に反対方向に自体的に回転する場合には前記手動プーリー７００ａとは独立的に回転するようにする両方向転換クラッチ部材７１０と、を含み、
前記両方向転換クラッチ部材７１０は、前記手動プーリー７００ａに結合されて胴体の内周面には小径部７１１ａと大径部７１１ｂを有する円弧形状の両方向移動溝が一定の間隔で形成されて具備される両方向ドライバー７１１と、弾性部材の一端が結合される結合部７１２ａと単位弾抜部材ホルダー７１２ｂが一定の間隔で複数配列で形成されたリテイナー７１２と、前記両方向ドライバー７１１の両方向移動溝の大径部７１１ｂと前記リテイナー７１２の単位弾抜部材ホルダー７１２ｂとの間に回転自在になるように挿入されるローラー部材７１３と、を含んでなされることを特徴とする駆動ホイール部材の復帰機能を有するひさし駆動装置。
【請求項７】
電動駆動モジュール６０をさらに含んで、前記手動駆動モジュール４０ａを前記手動自動兼用駆動モジュール４０で構成することを特徴とする請求項６に記載の駆動ホイール部材の復帰機能を有するひさし駆動装置。
【請求項８】
前記手動駆動モジュール４１０は、系止部４１１ａが形成されたスプリング部材４１１が外周面に挟まれて挿入され、固定ブラケットに堅たく固定結合される手動ストッパ４１０と、
ボールチェーンや回転紐を引っぱれば前記スプリング部材４１１のスプリング胴体が離れる方向に前記系止部４１１ａを押してスプリング部材４１１の摩擦力を解除させる解除係止突起４２１ｃが形成されたラップスプリング駆動部材４２１と、及び、
自体的に回転する時は前記手動ストッパ４１０を構成するスプリング部材４１１の系止部４１１ａをスプリング胴体が狭められる方向に押すように挟まれてスプリング部材４１１の摩擦力を増大させ、ラップスプリング駆動部材４２１が回転する時は解除係止突起４２１ｃにおされて共に回転するようにする内部係止突起５０ａが形成されたピックアップ部材５０と、でなされて、ひさし回転軸に結合されているピックアップ部材５０内部に自由に回動自在になるように挿入されて具備されることを特徴とする請求項６に記載の駆動ホイール部材の復帰機能を有するひさし駆動装置。
【請求項９】
ボールチェーンや回転紐によって作動する手動駆動モジュール４０ａと、前記手動駆動モジュール４０ａの駆動によってひさし回転軸を駆動するピックアップ部材５０と、
ボールチェーンや回転紐が挟まれる手動プーリー７００ａを有するホイール駆動部材７００と、を含み、
前記手動駆動モジュール４０ａは、前記手動プーリー７００ａの回転によって駆動が始まって、手動プーリー７００ａの回転が停止されればひさし装置の自重によって駆動が停止されて、前記ホイール駆動部材７００は、前記手動プーリー７００ａを何れか一方向に回転させる場合には共に回転するが、前記一方向に前記手動プーリー７００ａによって共に回転した直後に反対方向に自体的に回転する場合には前記手動プーリー７００ａとは独立的に回転するようにする両方向転換クラッチ部材７１０と、を含み、
前記両方向転換クラッチ部材７１０は、使用者がボールチェーンや回転紐を放して手動作動を停止させれば、前記両方向転換クラッチ部材７１０のリテイナー７１２を逆回転させる逆回転手段７１４を含み、
前記逆回転手段７１４は、トーションスプリング７１４ｂと、前記トーションスプリング７１４ｂの一端を固定棒７１４ａのような固定部に固定する固定手段７１４ｂ１と、前記手動駆動モジュール４０ａの駆動時にその回転力を前記トーションスプリング７１４ｂの他端に伝達する手段と、を含んでなされることを特徴とする駆動ホイール部材の復帰機能を有するひさし駆動装置。
【請求項１０】
前記リテイナー７１２が回転を止めればそれぞれのローラー部材７１３を左右に押して前記両方向ドライバー７１１の両方向移動溝大径部７１１ｂの位置、すなわち、中立位置に位置するようにする単位弾抜部材をさらに含むか、またはすべてのローラー部材７１３をいっぺんに弾抜、すなわち、中立位置に置かれるようにリテイナー７１２全体を逆方向に所定角度、あるいは連続して回転させる全体弾抜部材をさらに含むことを特徴とする請求項６に記載の駆動ホイール部材の復帰機能を有するひさし駆動装置。